(57)【要約】【課題】  本発明は身体の保護、安全を為すことが事が出来る吸収性物品を得ることが出来る。【解決手段】  吸収性機能を備えて構成した物品に線、削成、欠切又は削除の手段を設ける構成要件とで吸収性物品を構成している。【選択図】  図１
2013172789.tif 000002
【特許請求の範囲】
【請求項１】
吸収性機能を備えて構成した物品に線、削成、欠切又は削除の手段を設ける事を特徴とする吸収性物品。
【請求項２】
補助、補正、固定、保護、安全、又は安定の要を為す装着体又は装着部の手段を設ける事を特徴とする請求項１項の少なくとも何れか１つに記載の吸収性物品。
【請求項３】
機能形状を有する吸収性物品は、該吸収性物品の部分又は物体が、他の部分又は物体に
関与する、隣面する、又は隣接する形態、構造、機能において、該吸収性物品の形態、構造、機能は、他の部分又は物体における、関与する、隣面する、又は隣接する形態、構造、機能に、無関与、無変化又は無影響を有する手段を設けた事を特徴とする請求項１項又は請求項２項の少なくとも何れか１つに記載の吸収性物品。
【請求項４】
吸収性物品に通気性の機能を為す手段を設ける事をとする請求項１項、請求項２又は請求項３項の少なくとも何れか１つに記載の吸収性物品。
【発明の詳細な説明】
【技術分野】
【０００１】
本発明は、吸収性物品の設置、装置、機構、構造、形状に関するものである。
【背景技術】
【０００２】
従来の吸収性物品は、主に例えば身体の廃棄物、汚物尿、便等の吸収体等の生理用品に使用されていたものである。
【０００３】
しかしながら、従来の生理用品等の吸収性物品は汚れ物の処理、経過、経緯の在り方んの方法が主であり、身体への保護、固定には役に立たないと言う欠点があった。
【先行技術文献】
【特許文献】
【０００４】
【特許文献１】特願２００９−１３３３４８号公報
【特許文献２】特願２０１１−０１３６９１号公報
【発明の概要】
【発明が解決しようとする課題】
【０００５】
本発明は、以上のような従来の欠点に鑑み、本発明の吸収性物品は、身体への保護、安全、安定、補助、集軟性、管理、固定、コントロ−ル、クッション性、緩衝の緩和、衝撃を緩和、衝撃を吸収、吸収のコントロ−ル、等々の役に立つ特徴、方法である、然るに本発明の吸収性物品は、該生理用品にて身体に為す重要な吸収性物品である。
【課題を解決するための手段】
【０００６】
上記目的を達成すべく、
請求項１に記載された発明では、
吸収性機能を備えて構成した物品に線、削成、欠切又は削除の手段を設ける事を特徴とする吸収性物品。
【０００７】
吸収性を備えた吸収性物品に、線、削成、欠切又は削除の手段を設ける事を特徴とする吸収性物品等、の該吸収性を固体、液体、又は気体に求めて機能構成を為す。該機能構成の吸収性を有する形状（形状は種々どんな形状でも良い○、△、四角、変角、変形、複数形。等）として備えて吸収性物品とし、該吸収性物品に線、削成、欠切又は削除の手段を設ける事を特徴とする吸収性物品である。然るに、クッション性、吸収、緩衝の緩和、又は衝撃の吸収等等のその他種々の吸収性を備えた物品である、例えば、クッション性、吸収性作用をするクッション性、吸収性その他等機能を備えて、構成、形成する吸収性物品のクッション材、吸収材として、固体、液体、気体等がある。材とは材料、原料、もと等をもさす。尚、プチプチ、（エアクッション）バネ、ゲル、発砲スチロ−ル、羽、羽毛、綿、ウレタン、ハニカム、折紙、ゴム等の名前の物のとかの、その他種々の材、加工、混合、合成、化学等をも言う材、部分、物体である。又該形状は用途に合わせて種々な形状の製作（変形形状、重ね形状、複数階段形状、も可）をも為し得、更に吸収紙或いは防水紙等を何枚も重ねた物、円形縁を接着・閉じて円内に空気を閉じこめてクッションにする構造のエアクッション等もできる方法。其れはそれ等を単体に又多数に設定してクッション性にする構造である構成事項を該多重層の形状とした特徴とする吸収性物品もできる。（図１、図２、図３、図４、図５、図６、図７、図８、図９、図１１、図１４、図１５参照）。
【０００８】
上記記載の吸収性を備えた吸収性物品に線（点線にて任意の箇所数か所の点線の線上を切り開き開口出来る、又吸収性物品の途中に存在する長線を開口して任意の形状に変化させ変化開口線となしえ使用する。）、削成、欠切又は削除（任意用途、必要とする形状にするため削除する）の手段を例えば種々任意の形状の作成の一つ又該多数設ける事により種々な形状つまり変化に富んだ任意の形態の作成を為し該用途に応じた形態、機能にしての使い方が出来る構造の特徴を為す吸収性物品である。（実施形態の実施例１乃至実施例１６参照）（図１乃至図１６参照）。
【０００９】
請求項２に記載された発明では、
補助、補正、固定、保護、安全、又は安定の要を為す装着体又は装着部の手段を設ける事を特徴とする請求項１項に記載の吸収性物品。
吸収性物品に装着体、装着部を種々な位置又は関係に於いて装着、係合、関与等等の種々な付方につけて、吸収性物品を補助、補正、固定、保護、安全、又は安定の要と為す。尚吸収性物品は機能用途に於いて、優しく、緩く、固く、保護的に安定を計る等々のその他種々な用途、機能に於いて形状、位置、付け方に工夫、変化をもたらす装着体又は装着部の手段を設ける事の特徴を有する。（図１、図２、図３、図４、図５、図６、図７、図８、図９、図１０、図１１、図１２、図１３、図１４、図１５参照）。（図５、図６の一部（裏面、裏側）に装着体又は装着部を備えている）。
【００１０】
請求項３に記載された発明では、
機能形状を有する吸収性物品は、該吸収性物品の部分又は物体が、他の部分又は物体に
関与する、隣面する、又は隣接する形態、構造、機能において、該吸収性物品の形態、構造、機能は、他の部分又は物体における、関与する、隣面する、又は隣接する形態、構造、機能に、無関与、無変化又は無影響を有する手段を設けた事を特徴とする請求項１項又は請求項２項の少なくとも何れか１つに記載の吸収性物品。
【００１１】
接触、無接触、折衝又は無折衝を為しても、他に有する形態、機能、構成に影響をさない又は関与する手段を設ける特徴。機能形状形を有する吸収性物品に於いて、該吸収性物品の部分、物体が、他の形態、構成に、関与する、隣面する、隣り合わす又は隣接していても、他に有する機能、部分、物体に影響無い形状、構造、機能を有する形状及び構造と為す手段を設ける事を特徴とする請求項１項又は請求項２項記載の吸収性物品である。
然るに、構造機能となす形状形を有する吸収性物品は、他の物の形状、形態において接触する、無接触、関与する又は無関与とする種々な面を持つ事も出来る。該吸収性物品は、単体、多数の構成（例えば、２体の機能の合成、、２種類の機能を合わせもつ、２種類の機能の背中合わせ、両立、並列、付着、又は付設等その他種々あり）係合配置、自在配置構造、形態機能等等と種々な機能、形態、構成を有する手段を設ける事を特徴とする請求項１項又は請求項２項記載の少なくとも該１項の吸収性物品とも言える。形状化した機能構造の吸収性物品の該形（例えば変形形態の形）、又は該形の位置、部分等により種々の異なる構成機能の特徴を持ち、それぞれの機能作用を為す役割を為す形状吸収性物品である。（実施形態の実施例５、実施例６、実施例１１、実施例１５参照）（図５、図６、図１１、図１５参照、）。
【００１２】
請求項４に記載された発明では、
吸収性物品に通気性の機能を為す手段を設ける事をとする請求項１項、請求項２又は請求項３項の少なくとも何れか１つに記載の吸収性物品。
【００１３】
吸収性物品は例えば、材料、原料、もと、素地、共（固体、液体、気体等に）に通気性の有る物品物にて加工する手段を設ける事が出来る特徴の吸収性物品である。又は吸収性物品の通気性のない吸収性物品（参考、通気性のない吸収性物品の生地等、例えばビニ−ル、ポリエステル等の種々の化学薬品、ゴム等自然材をも指す）に於いては、吸収性物品の形状に線、削成、欠切、又は削除等等の例えば穴の手段等にて通気性の機能を設ける事をする特徴の吸収性物品である。（実施形態の実施例１乃至実施例１５参照）（図１乃至図１５参照）。
【００１４】
取り付け又は取り外しの機能を為す手段を設ける事を特徴とする請求項１項−請求項３項記載の少なくとも１項の吸収性物品である。又該全ての吸収性物品は添付、固定、着脱する事が出来る手段を設た特徴の吸収性物品である。
【発明の効果】
【００１５】
以上の説明から明らかなように、本発明にあっては次のような効果が得られる。
【００１６】
本発明の吸収性物品は、身体への保護、安全、安定、補助、集軟性、管理、固定、コントロ−ル、クッション性、緩衝の緩和、衝撃を緩和、衝撃を吸収、吸収のコントロ−ル、等々の役に立つ特徴を有する吸収性物品である。クッション材等の流通性、移動等を良好にし、又は任意の機能、作用を持つ事が可能とする、又は該変化を為しえる等々その他の該行為、設定、仕法にてその形状変化を為し、又は該クッション性機能等その他種々な前記記載機能を高め、又必要な、該任意機能とする有意義な吸収性物品の構成、機能を設定することが出来る特徴を有する吸収性物品である。
【００１７】
請求項１、２、３、４、の構成要件とで構成されているので、前記の列挙する効果が得られる。
【図面の簡単な説明】
【００１８】
【図１】本発明の実施例の断面図
【図２】本発明の実施例の断面図
【図３】本発明の実施例の断面図
【図４】本発明の実施例の断面図
【図５】本発明の実施例の断面図
【図６】本発明の実施例の断面図
【図７】本発明の実施例の断面図
【図８】本発明の実施例の断面図
【図９】本発明の実施例の断面図
【図１０】本発明の実施例の断面図
【図１１】本発明の実施例の断面図
【図１２】本発明の実施例の断面図
【図１３】本発明の実施例の断面図
【図１４】本発明の実施例の断面図
【図１５】本発明の実施例の断面図
【図１６】本発明の実施例の断面図
【発明を実施するための形態】
【００１９】
以下、本発明の実施の形態を図に基づいて説明する。
【実施例１】
【００２０】
図１は、本発明の実施例１の断面図であって、
帯状の吸収性物品の構造で、該吸収性物品は通気性を有した素材にて形成されており、該中央には丸い形状の内に空気を満たした（プチプチ）弾力性を持つクッション性を所持した機能の形態が多数存在する、又端には装着自在な機能を（チャック、片端に凹一方の端に凸を持ち該らを合わせて結合体となる、マジックテ−プ、クリア−テ−プ、接着材、又はボタン等の種々な装着材、具を言う）備えている吸収性物品である。該使用方法は（実施例２）にて説明。
【実施例２】
【００２１】
図２は、本発明の実施例２の断面図であって、  図１の、本発明の実施例１の断面図を使用時に於ける図を示した物である。通気性を有した素材にて形成されており、プチプチ形状を腰、後ろ側に設定し身体前側に端を以て合わせ身体にフイットさせて固定する（自由自在の装着可能な機能）。依ってアクションが生じたとき、又通常の正しい姿勢の補正継続を計る構成とするとき、該クッション機能のプチプチ形状は腰、後ろ側の身体のショックを吸収し、保護し、固定、又は安定を計る有意義な吸収性物品である。
【実施例３】
【００２２】
図３は、本発明の実施例３の断面図であって、
帯状の吸収性物品の構造で、該吸収性物品は通気性を有した素材にて形成されており、該中央には丸い形状の内に空気を満たした（プチプチ）弾力性を持つクッション性を所持した機能の形態が多数存在する、又該吸収性物品の両端には横に欠切線を設定している。該
端には装着自在な機能を（チャック、片端に凹一方の端に凸を持ち該らを合わせて結合体となる、マジックテ−プ、クリア−テ−プ、接着材、ボタン、ホック等の種々な装着材を言う）備えている吸収性物品である。該使用方法は（実施例４）にて説明。
【実施例４】
【００２３】
図４は、本発明の実施例４の断面図であって、  図３の、本発明の実施例３の断面図を使用時に於ける図を示した物である。プチプチ形状を腰、後ろ側に設定し、該吸収性物品の両端には横に欠切線を設定している欠切線部を切り開いて単独な形状と為し、任意な箇所にて別々に該形状の端を以て合わせ、より身体にフイットさせて固定する（自由自在の装着可能な機能例えばマジックテ−プ）。依ってアクションが生じたとき、又通常の正しい姿勢の補正継続を計る構成とするとき、該身頃に、より強く安定、固定、保護させた機能は、（クッション機能のプチプチ形状は腰、後ろ側の身体のショックを吸収し）保護し、固定、又は安定を計る有意義な吸収性物品である。
【実施例５】
【００２４】
図５は、本発明の実施例５の断面図であって、吸収性物品の構造で、該吸収性物品は円形の形状で通気性を有した素材（形状）にて形成されておる、その吸収性物品の内に丸い形状を持ち、その丸形状内に空気を満たした（プチプチ）弾力性を持つクッション性を所持した機能の形態を５箇所に存在する、更に円形の形状に縦、横と十字に欠切、線部を設定し適宜、適切に切り開く、開口する機能を構成する。尚、中心のクッション丸形の下に別途部分に欠線を有して別途機能を存在させて別々の機能として作用させている線部を持つ。又該吸収性物品の裏側に装着部分を設定して、身体若しくは、任意、必要部分に装着自在にさせる吸収性物品。従って、縦、横と十字に欠切、線部の設定を使用時、使用場所、使用位置に適切、任意、適宜に切り開く、開口して、形状構成して使用する事により、該使用場所、使用位置にフイットし、適切、任意、適宜の構造にしてセットする有意義な吸収性物品である。例図１２、１３の様に使用する事もできる。又凸凹した腰、胴、臀部、足、手、甲、肘、頭、肩、背骨等種々の部分に応用した変形形状構造として使用できる特徴の有意義な吸収性物品である。
【実施例６】
【００２５】
図６は、本発明の実施例６の断面図であって、吸収性物品の構造で、該吸収性物品は四角形の形状で通気性を有した素材にて形成されておる、その四角形吸収性物品の内に丸い形状を持ち、その丸形状内に空気を満たした（プチプチ）弾力性を持つクッション性を所持した機能の形態が４箇所に存在する、更に斜めの十字の欠切、線部を設定しその部を適宜、適切に切り開く、開口して機能を構成する。又該吸収性物品の裏側に装着部分を設定して、身体若しくは、任意、必要部分に装着自在にさせる吸収性物品。従って、斜め十字に欠切、線部の設定を使用時、使用場所、使用位置に適切、任意、適宜に切り開く、開口して、形状構成して使用する事により、該使用場所、使用位置にフイットし、適切、任意、適宜の構造にしてセットする有意義な吸収性物品である。例図１２、１３の様に使用する事もできる。又凸凹した腰、胴、臀部、足等種々の部分に応用した変形形状構造として使用できる特徴の有意義な吸収性物品である。
【実施例７】
【００２６】
図７は、本発明の実施例７の断面図であって、吸収性物品の構造で、帯状の吸収性物品の構造で、該吸収性物品は通気性を有した素材にて形成されており、該中央には丸い形状の内に空気を満たした（プチプチ）弾力性を持つクッション性を所持した機能の形態が多数存在する、又該吸収性物品の両端には横の中心に欠切線を設定している。該端には装着自在な機能を（チャック、片端に凹一方の端に凸を持ち該らを合わせて結合体となる、マジックテ−プ、クリア−テ−プ、接着材、ボタン等の種々な装着材を言う）備えている、更に補助体は欠切線の上部にあり、それは、該吸収性物品の片端の横の中心に向かって欠切線を設定していて該欠切線から、持ち出はみ出して中央部に向かった所より始まって、そこから該吸収性物品の片側先端よりはみ出して先に多く持ち出す補助体を設定する。補助体にはマジックテ−プ等装着自在な機能を備えている。尚、使用の方法ににおいては、補助体の使用方法を除き（実施例４）の説明方法を用い、その上部から補助体を装着設定して、下部該欠切線の機能構成設定の補正体としてカバ−となして、フイットを為し、安定、固定、保護を確定する事が出来る特徴の有意義な吸収性物品である。
【実施例８】
【００２７】
図８は、本発明の実施例８の断面図であって、吸収性物品の構造で、帯状の吸収性物品の構造で、該吸収性物品は通気性を有した素材にて形成されており、該中央には丸い形状の内に空気を満たした（プチプチ）弾力性を持つクッション性を所持した機能の形態が多数存在する、又該吸収性物品の両端には横に２箇所の欠切線を設定している。該端には装着自在な機能を（チャック、片端に凹一方の端に凸を持ち該らを合わせて結合体となる、マジックテ−プ、クリア−テ−プ、接着材、ボタン等の種々な装着材を言う）備えている、更に補助体は両先端の２箇所の欠切線の上部を縦に横切るように吸収性物品をはみ出して長く設定している。補助体にはマジックテ−プ等装着自在な機能を備えている。尚、使用の方法ににおいては、補助体の使用方法を除き（実施例４）の説明方法を応用して用い、その上部から補助体を装着設定して、下部該欠切線の機能構成設定の補正体としてカバ−となして、フイットを為し、安定、固定、保護を確定する事が出来る特徴の有意義な吸収性物品である。
【実施例９】
【００２８】
図９は、本発明の実施例９の断面図であって、該吸収性物品は通気性を有した素材にて形成されており、足のすねに当て止める吸収性物品の構造で有り、該吸収性物品は帯状の長方形で、該長方形において、すねの中心の骨をカバ−する形状に於ける位置に、丸い形状の内に空気を満たした（プチプチ）弾力性を持つクッション性を所持した機能の形態が多数存在配列する。上記記載機能存在の長方形の両脇に補助体を３体点在の配列設定している特徴の吸収性物品である。
【実施例１０】
【００２９】
図１０は、本発明の実施例１０の断面図であって、該吸収性物品は通気性を有した素材にて形成されており、足のすねに当て止める吸収性物品の構造で有り、該吸収性物品は帯状の長方形で、該長方形において、すねの中心の骨をカバ−する形状に於ける位置に、丸い形状の内に空気を満たした（プチプチ）弾力性を持つクッション性を所持した機能の形態が多数存在配列する。上記記載機能存在の長方形の両脇に補助体を３体点在の配列設定している特徴の吸収性物品を足の伸すね側の前方に当てて、補助体を足の脹ら脛の方の裏側に回して止め、補正体と為して固定し止めて為す吸収性物品の図である。
【実施例１１】
【００３０】
図１１は、本発明の実施例１１の断面図であって、吸収性物品の構造で、該吸収性物品は円形の形状で通気性を有した素材にて形成されておる、その吸収性物品の内に丸い形状を持ち、その丸形状内に空気を満たした弾力性を持つクッション性を所持した機能の変形形態（プチプチ）が多数整列存在する、更に上記記載の変形形態（プチプチ）の左、右（寄り添う）に蛇腹機能（参照、例えば延びたり縮小したりする形、延びたり縮小したりする材料、記憶合金、バネの構造が整列存在する等の基に戻る、変化する形状に添う等々の種々な方法を用いる）の形態を設定する。該吸収性物品の一端に補助体を設定する吸収性物品の図である。
【００３１】
使用方法は図１２、１３に示す。又丸形状内に空気を満たした弾力性を持つクッション性を所持した機能の変形形態（プチプチ）の構造とその周囲の蛇腹との関係は図１４、１６にて示す。又図５の内容の機能を示す吸収性物品の中央の円形の下部の切り線の構造を本実施例１１図のクッション性を所持した機能の変形形態（プチプチ）が多数整列存在する部分の下部に設定する。依って下部の切り線の構造は任意の形状とする変化を為し物体形状に合わし（身体肘、腰、胴等）にフイットするように形成する事もできる。
【実施例１２】
【００３２】
図１２は、本発明の実施例１２の断面図であって、（実施例１１）  図１１の本発明の
吸収性物品の構造の円体を、足の膝小僧に当てて該添付補助体を足の裏側まで回して取り付け装着して、固定、安定を計る。依って吸収性物品を該円体構造機能により膝小僧等にフイットして、衝撃の保護をする。又トラブル発生等においても安全を為す特徴の有意義な吸収性物品である。
【実施例１３】
【００３３】
図１３は、本発明の実施例１３の断面図であって、（実施例１２）  図１２の本発明の
吸収性物品の構造の円体を、足の甲（膝小僧）に当てて該添付補助体を足の裏側まで回して取り付け装着した足の甲裏側を表し其処に自由自在装着出来る補助体の設定を示していて、よって固定、安定を計る補正体と為す。依って吸収性物品の構造の円体機能により膝小僧等のトラブル発生における安全を為し、衝撃の保護をする特徴の有意義な吸収性物品である。
【実施例１４】
【００３４】
図１４は、本発明の実施例１４の断面図であって、（実施例１１）  図１１の本発明の
吸収性物品を示す構造の円体の中の丸形状を多数持ち該丸形状内に空気を満たした弾力性を持つクッション性を所持した機能の変形形態（プチプチ）が多数整列存在する該丸形状において、該上記記載の変形形態（プチプチ）の丸形状を多数持ち該丸形状内に空気を満たした弾力性を持つクッション性を所持した機能の変形形態（プチプチ）が多数整列存在する丸形状の一部に接して蛇腹機能（参照、例えば延びたり縮小したりする形、延びたり縮小したりする材料、記憶合金、バネの構造が整列存在する等の基に戻る、変化する形状に添う等々の種々な方法を用いる）の形態を設定する。更に該吸収性物品の円体の一端に補助体を設定する吸収性物品。変形形態（プチプチ）の形状と該形状と蛇腹機能との関係の構成を示した図である。変形形態（プチプチ）の丸形状は下部は小さく上部は大きい形状で（お鏡お供え逆さにした形状）（２階建て〜何階建ても可、２段形式も可等）該下部の小丸形部分に並んで蛇腹機能構造を設定するが、如かし上部大部の丸形には蛇腹機能構造を無接触とする。
【００３５】
依って、蛇腹機能構造は上部大部丸形に無接触の為に何の影響無く蛇腹機能構造は支障無く延びたり縮小したりする形を為し、任意とする形造形形成を為し従来の蛇腹機能を為し得る。又変形形態（プチプチ）の形状の上部は大きい形状を持つ上部大部丸形は、蛇腹機能構造と無接触の為に何の影響無く、上部大部丸形の空気層形は従来の空気を満たした弾力性を持つクッション性を所持した機能の変形形態（プチプチ）の構造機能の役割をする特徴の有意義な吸収性物品である。
【実施例１５】
【００３６】
図１５は、本発明の実施例１５の断面図であって、吸収性物品の構造で、該吸収性物品はパンツ形の形態を持つ。該パンツ形の形状の後ろ身頃（脇、腰、胴、臀部）に丸い形状の内に空気を満たした（プチプチ）弾力性を持つクッション性を所持した機能の形態が多数存在する。該後ろ身頃の形状における該真ん中当たり（例えば腰、臀部、凹凸、脇、胴に変化する形状等）に任意のスリット又は点線をいれて切り欠き開口する。該切り欠き開口は座ったり立ったりする等の行動、変化に対して、支障のない為の切り欠き開口形状をなす。又は該切り欠き開口形状を閉じえる機能をなす事も出来る。また腰脇に基に戻る、変化する形状に添う等々を丸い形状の内に空気を満たすプチプチを有した箇所に並んで補正体として設定している。更に前身頃には装着部（自由自在の装着可能な機能例えばマジックテ−プ）が備えられている。上記記載の種々機能等より身体にフイットさせて固定、安定、保護、自在行動を行える。尚アクションが生じたとき、又通常の正しい姿勢の補正継続を計る構成とするとき等、より強く安定、固定、保護させた機能は、（クッション機能のプチプチ形状は腰、後ろ側の身体のショックを吸収し）保護し、固定、又は安定を計る有意義な吸収性物品である。
【実施例１６】
【００３７】
図１６は、本発明の実施例１６の断面図であって、吸収性物品の構造の図１４、本発明の実施例１４を横から見た図である。
【産業上の利用可能性】
【００３８】
本発明は、吸収性物品を製造する産業で利用される。
【符号の説明】
【００３９】
１    吸収性物品
２    プチプチ
３    装着部
４    欠切部
５    線
６    補助体
７    補正体
８    脹ら脛（肢足の裏）
９    足の甲
１０  形状型（弾力部）
１１  蛇腹
１２  すね当て
１３  すね
１４  すね裏
１５  足
１６  腰
１７  前身頃
【図１】
2013172789.tif 000003
【図２】
2013172789.tif 000004
【図３】
2013172789.tif 000005
【図４】
2013172789.tif 000006
【図５】
2013172789.tif 000007
【図６】
2013172789.tif 000008
【図７】
2013172789.tif 000009
【図８】
2013172789.tif 000010
【図９】
2013172789.tif 000011
【図１０】
2013172789.tif 000012
【図１１】
2013172789.tif 000013
【図１２】
2013172789.tif 000014
【図１３】
2013172789.tif 000015
【図１４】
2013172789.tif 000016
【図１５】
2013172789.tif 000017
【図１６】
2013172789.tif 000018